(57)【特許請求の範囲】
【請求項１】
下駄箱側板内壁の前部および後部に複数の前ピン孔および後ピン孔を有し、所望位置の前ピン孔および後ピン孔に差し込まれた前保持ピンおよび後保持ピンに棚板が掛け渡される下駄箱において、前ピン孔は、側板内壁の前部において出入口側から見て最前列の縦第一列群およびその縦第一列群から所定距離奥まった縦第二列群をなして配設され、後ピン孔は、側板内壁の後部において垂直方向に縦一列群をなして配設されており、棚板を水平に設置する場合には、縦第一列群の前ピン孔およびそれと水平な後ピン孔に前保持ピンおよび後保持ピンを差し込んで棚板を掛け渡し、棚板を前部から後部に向かって下方に傾斜するように設置する場合には、縦第二列群の前ピン孔およびそれとは一段もしくは数段下の後ピン孔に前保持ピンおよび後保持ピンを差し込んで棚板を掛け渡し、棚板の傾斜角度を変更する際には、後保持ピンの差込み位置は変えずに前保持ピンの縦第二群における上下位置のみを変えるようになっていることを特徴とする下駄箱。
【請求項２】
棚板は前保持ピンおよび後保持ピンが嵌まるピン凹部を板裏面部に有し、当該ピン凹部の溝幅はピン径よりも幅広な形状となっている請求項１記載の下駄箱。
【請求項３】
前保持ピンおよび後保持ピンは丸棒形状を有している請求項１または２記載の下駄箱。
【発明の詳細な説明】
【０００１】
【発明の属する技術分野】
この出願の発明は、下駄箱に関するものである。さらに詳しくは、この出願の発明は、奥行きは薄いが収納力の高い下駄箱として有用な、使用時の不意な棚板の外れを効果的に防止することのできる、新しい下駄箱に関するものである。
【０００２】
【従来の技術】
従来より、奥行きを薄くして玄関での占有空間は小さくする一方で収納力は高く維持した下駄箱が、住宅等においてしばしば採用されている。かかる下駄箱としては、たとえば図２に例示したように、側板（１）内壁の前部および後部に複数の前ピン孔（２）および後ピン孔（３）を配設し、所望位置の前ピン孔（２）および後ピン孔（３）に前保持ピン（２０）および後保持ピン（３０）を差し込んで、それらに棚板（４）を後部から前部に向かって下方に傾斜するように掛け渡す構造としたものが知られている（たとえば、実開昭５８−２１３３４参照）。この構造によって、奥行きを薄くしても、斜め置きによって収納力を維持することができる。
【０００３】
【発明が解決しようとする課題】
しかしながら、上記のとおりに優れた特徴を有する従来の下駄箱にあっても、実用上以下のような改良すべき点がある。
【０００４】
すなわち、棚板（４）は後部から前部に向かって下方に傾斜するように前保持ピン（２０）および後保持ピン（３０）に掛け渡されたものであるため、靴等の履物を置いたり掃除をしたりする際に棚板（４）の前端部に下向きの力が加わると、棚板（４）の後端部が浮いて後保持ピン（３０）から外れ、棚板（４）が落下してしまう恐れがあるのである。このため、棚板（４）前端部に力を加えないように常に注意する必要があり、実用上改良すべき点と考えられる。
【０００５】
この出願の発明は、以上のとおりの事情に鑑みてなされたものであり、奥行きは薄いが収納力は高いという特徴はそのままに、使用時の不意な棚板の外れを効果的に防止することのできる、新しい下駄箱を提供することを課題としている。
【０００６】
【課題を解決するための手段】
この出願の発明は、上記の課題を解決するものとして、第１に、下駄箱側板内壁の前部および後部に複数の前ピン孔および後ピン孔を有し、所望位置の前ピン孔および後ピン孔に差し込まれた前保持ピンおよび後保持ピンに棚板が掛け渡される下駄箱において、前ピン孔は、側板内壁の前部において出入口側から見て最前列の縦第一列群およびその縦第一列群から所定距離奥まった縦第二列群をなして配設され、後ピン孔は、側板内壁の後部において垂直方向に縦一列群をなして配設されており、棚板を水平に設置する場合には、縦第一列群の前ピン孔およびそれと水平な後ピン孔に前保持ピンおよび後保持ピンを差し込んで棚板を掛け渡し、棚板を前部から後部に向かって下方に傾斜するように設置する場合には、縦第二列群の前ピン孔およびそれとは一段もしくは数段下の後ピン孔に前保持ピンおよび後保持ピンを差し込んで棚板を掛け渡し、棚板の傾斜角度を変更する際には、後保持ピンの差込み位置は変えずに前保持ピンの縦第二群における上下位置のみを変えるようになっていることを特徴とする下駄箱を提供する。
【０００７】
また、この出願の発明は、第２には、前記棚板が前保持ピンおよび後保持ピンが嵌まるピン凹部を板裏面部に有し、当該ピン凹部の溝幅はピン径よりも幅広な形状となっていることを特徴とする下駄箱、第３には、前記前保持ピンおよび後保持ピンが丸棒形状を有していることを特徴とする下駄箱を提供する。
【０００８】
【発明の実施の形態】
たとえば図１に例示したように、この出願の発明では、棚板（４）を、前部から後部に向かって下方に傾斜するように前保持ピン（２０）および後保持ピン（３０）に掛け渡すものとし、その傾斜角度を変更する際には後保持ピン（３０）の位置は変えずに前保持ピン（２０）の位置のみを変えるようにしている。
【０００９】
より具体的には、図１の実施形態では、前ピン孔（２）は、側板（１）内壁の前部において、出入口側から見て最前列の縦第一列群およびその縦第一列群から所定距離奥まった縦第二列群をなして配設されており、後ピン孔（３）は、側板（１）内壁の後部において、垂直方向に縦一列群をなして配設されており、各前ピン孔（２）と後ピン孔（３）は互いに水平位置となっている。
【００１０】
棚板（４）については、側板（１）内壁の奥行き寸法よりも若干短い（たとえば数ミリ程度）奥行き寸法を有しており、板裏面の前部および後部には掛渡し時に前保持ピン（２０）および後保持ピン（３０）が嵌まる前ピン凹部（２１）および後ピン凹部（３１）が設けられている。
【００１１】
かかる棚板（４）を水平に設置する場合には、縦第一列群の前ピン孔（２）およびそれと水平な後ピン孔（３）に前保持ピン（２０）および後保持ピン（３０）を差し込んでそれらに掛け渡し、棚板（４）を前部から後部に向かって下方に傾斜するように設置する場合には、縦第二列群の前ピン孔（２）およびそれとは一段もしくは数段下の後ピン孔（３）に前保持ピン（２０）および後保持ピン（３０）を差し込んでそれらに掛け渡す。これにより、一つの奥行き寸法の棚板（４）を用いて水平設置および傾斜設置が可能になる。
【００１２】
そして、棚板（４）の下方傾斜角度を変更する際には、後保持ピン（３０）の差込み位置は変えずに、前保持ピン（２０）の上下差込み位置つまり前ピン孔（２）の縦第二列群における上下位置のみを変えるようにする。このとき、棚板（４）の後端部は常に背板（５）の内壁に接した状態を維持するものとする。これにより、掛渡し可能な範囲での前部から後部に向かってのあらゆる下方傾斜角度にあって、棚板（４）の前端部に下向きの力が加わっても、背板（５）の内壁に接触している棚板（４）の後端部が上方に跳ね上がり後保持ピン（３０）から外れるということはなく、不意な棚板（４）の外れを防止できるようになる。
【００１３】
なお、前ピン凹部（２１）および後ピン凹部（３１）の溝幅は少なくともピン径よりもある程度幅広な形状としておくことで、前保持ピン（２０）および後保持ピン（３０）が棚板（４）裏面に接する位置のずれを許容して、様々な角度での傾斜設置が可能になる。
【００１４】
また、前保持ピン（２０）および後保持ピン（３０）については、丸棒形状を有するものとすることで、棚板（４）を傾斜設置してもより高い安定度を確保できる。
【００１５】
もちろん、この出願の発明は以上の実施形態に限定されるものではなく、細部については様々な態様が可能である。
【００１６】
【発明の効果】
以上詳しく説明したとおり、この出願の発明によって、奥行きは薄いが収納力は高いという特徴はそのままに、履物を置いたり掃除したりする際の不意な棚板の外れを効果的に防止することのできる、新しい下駄箱が提供される。
【図面の簡単な説明】
【図１】この出願の発明の下駄箱を例示した概略図である。
【図２】従来の下駄箱を例示した概略図である。
【符号の説明】
１  側板
２  前ピン孔
３  後ピン孔
２０  前保持ピン
３０  後保持ピン
２１  前ピン凹部
３１  後ピン凹部
４  棚板
５  背板
【図１】
0003714313.tif 000002
【図２】
0003714313.tif 000003